(57)【特許請求の範囲】
【請求項１】
光分岐部によって光信号を分岐し、前記光分岐部によって分岐した各光信号を光電変換部によって光電変換した各電気信号を分散補償する電気分散補償装置において、
複数のタップを有し、前記複数のタップのタップ係数によって分散補償量が変化するフィルタによって前記各電気信号をそれぞれ分散補償する分散補償手段と、
前記分散補償手段のタップ係数を調節することで前記各電気信号に対する分散補償量をそれぞれ制御する分散制御手段と、
前記分散制御手段によって調節されたタップ係数を調節することで前記各電気信号の間の遅延時間差を小さくする遅延制御手段と、
を備えることを特徴とする電気分散補償装置。
【請求項２】
前記フィルタはトランスバーサルフィルタであり、
前記遅延制御手段は、前記タップ係数として、前記複数のタップのうちの並び方向の両端のタップの係数を調節することを特徴とする請求項１に記載の電気分散補償装置。
【請求項３】
請求項１または２に記載の電気分散補償装置と、
前記分散補償手段によって分散補償された各電気信号に基づいて前記光信号のデータを識別する識別手段と、
を備えることを特徴とする光受信装置。
【請求項４】
前記識別手段は、前記分散補償手段によって分散補償された各電気信号のデータをそれぞれ再生する第１再生手段と、前記第１再生手段によって再生された各電気信号に基づいて前記光信号のデータを再生する第２再生手段と、を備え、
前記分散制御手段は、前記第１再生手段によって再生された各電気信号のエラー率に基づいて前記タップ係数を調節し、
前記遅延制御手段は、前記各電気信号の遅延時間差を示す情報に基づいて前記タップ係数を調節することを特徴とする請求項３に記載の光受信装置。
【請求項５】
前記分散制御手段は、前記各電気信号のエラー率が第１閾値以下になるように前記タップ係数を調節し、
前記遅延制御手段は、前記各電気信号のエラー率が前記第１閾値以下となる範囲内で、前記遅延時間差を示す情報が第２閾値以下になるように前記タップ係数を調節することを特徴とする請求項４に記載の光受信装置。
【請求項６】
前記各電気信号のエラー率が第１閾値以下になる前記タップ係数のリストを記憶した記憶手段を備え、
前記遅延制御手段は、前記記憶手段に記憶された前記リストに基づいて、前記遅延時間差を示す情報が第２閾値以下になるように前記タップ係数を設定することを特徴とする請求項４に記載の光受信装置。
【請求項７】
前記分散制御手段は、前記各電気信号のエラー率が第１閾値以下になる前記タップ係数のリストを生成し、生成したリストを前記記憶手段に記憶させることを特徴とする請求項６に記載の光受信装置。
【請求項８】
前記タップ係数が所定の条件ごとに対応付けられたテーブルを記憶した記憶手段と、
前記所定の条件を取得する取得手段と、を備え、
前記遅延制御手段は、前記記憶手段に記憶されたテーブルにおいて、前記取得手段によって取得された条件に対応付けられたタップ係数によって前記タップ係数を設定することを特徴とする請求項４に記載の光受信装置。
【請求項９】
光信号を分岐して光電変換した各電気信号を分散補償する光受信方法において、
複数のタップを有し、前記複数のタップのタップ係数によって分散補償量が変化するフィルタによって前記各電気信号をそれぞれ分散補償する分散補償工程と、
前記分散補償工程のタップ係数を調節することで前記各電気信号に対する分散補償量をそれぞれ制御する分散制御工程と、
前記分散制御工程によって調節されたタップ係数を調節することで前記各電気信号の間の遅延時間差を小さくする遅延制御工程と、
前記分散補償工程によって分散補償された各電気信号に基づいて前記光信号のデータを識別する識別工程と、
を含むことを特徴とする光受信方法。
【発明の詳細な説明】
【技術分野】
【０００１】
この発明は、電気分散補償回路によって分散補償を行う電気分散補償装置、光受信装置および光受信方法に関する。
【背景技術】
【０００２】
近年、次世代の４０Ｇｂ／ｓ光伝送システム導入の要求が高まっており、しかも１０Ｇｂ／ｓシステムと同等の伝送距離や周波数利用効率が求められている。その実現手段として、光信号対雑音比（ＯＳＮＲ：Ｏｐｔｉｃａｌ  Ｓｉｇｎａｌ  Ｎｏｉｓｅ  Ｒａｔｉｏ）耐力、非線形性耐力に優れた差動位相変調（ＤＰＳＫ：Ｄｉｆｆｅｒｅｎｔｉａｌ  Ｐｈａｓｅ  Ｓｈｉｆｔ  Ｋｅｙｉｎｇ）方式の研究開発が活発になっている。
【０００３】
さらに、上述の変調方式に加えて、狭スペクトル（高周波数利用効率）の特徴を持った差動四位相変調（ＤＱＰＳＫ：Ｄｉｆｆｅｒｅｎｔｉａｌ  Ｑｕａｄｒａｔｕｒｅ  Ｐｈａｓｅ  Ｓｈｉｆｔ  Ｋｅｙｉｎｇ）方式の研究開発も活発になっている。ＤＱＰＳＫ方式は、位相変調された二つのデジタル信号を、一つの周波数の信号光を用いて同時に伝送する方式である。
【０００４】
ＤＱＰＳＫ方式は、伝送するデータ速度（たとえば４０Ｇｂ／ｓ）に対してパルス繰り返し周波数が半分（たとえば２０ＧＨｚ）で済むため、従来のＮＲＺ変調方式などと比較して信号スペクトル幅が半分となり、周波数利用効率、波長分散耐力、デバイス透過特性などの点で優れている。このため、光伝送システムの分野では、特にデータ速度が４０Ｇｂ／ｓを超える高速伝送システムでＤＱＰＳＫ方式の適用が盛んに検討されている。
【０００５】
ＤＱＰＳＫ変調方式を実現する典型的な光受信器は、ＡブランチおよびＢブランチに対応する１組のマッハツェンダ干渉計を備える。各マッハツェンダ干渉計の二つの出力端子は、送信データを再生するためのバランスドＰＤ（Ｐｈｏｔｏ  Ｄｉｏｄｅ）に接続されている（たとえば、下記特許文献１，２を参照。）。
【０００６】
一方、超高速光伝送システムでは、光ファイバや光増幅器などの光部品の波長分散や偏波モード分散に起因する波形劣化がシステム実現の妨げになっている。このため、波長分散や偏波モード分散に起因する波形劣化を補償する技術が用いられている。従来は、主として光部品を用いて分散補償を行ってきた（たとえば下記特許文献３を参照。）。
【０００７】
これに対して、光伝送システムにおける装置の小型化、低コスト化の必要性から、近年、電気回路を用いた電気分散補償器（ＥＤＣ：Ｅｌｅｃｔｒｉｃ  Ｄｉｓｐｅｒｓｉｏｎ  Ｃｏｍｐｅｎｓａｔｉｏｎ）が注目されている（たとえば、下記非特許文献１〜３を参照。）。電気分散補償器は、複数のタップを有するトランスバーサルフィルタによって構成され、タップ係数を調節することにより分散補償量を変化させ、波長分散や偏波モード分散に起因する波形劣化を補償する。
【０００８】
タップ係数の調節方法については、たとえば、既知データであるトレーニングデータや未知データであるユーザデータを用いて、ＭＳＥ（Ｍｉｎｉｍｕｍ  Ｓｑｕａｒｅ  Ｅｒｒｏｒ）法、ＺＦ（Ｚｅｒｏ  Ｆｏｒｃｉｎｇ）法またはＭＺＦ（Ｍｏｄｉｆｉｅｄ  Ｚｅｒｏ  Ｆｏｒｃｉｎｇ）法といった、等化誤差信号が最小となるようにタップ係数を段階的に修正するアルゴリズムが用いられている（たとえば下記特許文献４を参照。）。
【０００９】
【特許文献１】特表２００４−５１６７４３号公報
【特許文献２】特開２００７−２０１３８号公報
【特許文献３】米国特許第６８０７３２１号明細書
【特許文献４】特開２００１−１４８０４号公報
【非特許文献１】Ｄ．ＭｃＧｈａｎ，ｅｔ  ａｌ．，“Ｅｌｅｃｔｒｉｃａｌ  Ｄｉｓｐｅｒｓｉｏｎ  Ｃｏｍｐｅｎｓａｔｉｏｎ”，ＯＷＫ１，ＯＦＣ２００６
【非特許文献２】Ｍ．Ｎａｋａｍｕｒａ，ｅｔ  ａｌ．，“Ｅｌｅｃｔｒｉｃａｌ  ＰＭＤ  ｅｑｕａｌｉｚｅｒ  ＩＣｓ  ｆｏｒ  ａ  ４０−Ｇｂｉｔ／ｓ  ｔｒａｎｓｍｉｓｓｉｏｎ”，ＴｕＧ４，ＯＦＣ  ２００４
【非特許文献３】Ｂ．Ｆｒａｎｚ，ｅｔ  ａｌ．，“４３  Ｇｂｉｔ／ｓ  ＳｉＧｅ  Ｂａｓｅｄ  Ｅｌｅｃｔｒｏｎｉｃ  Ｅｑｕａｌｉｚｅｒ  ｆｏｒ  ＰＭＤ  ａｎｄ  Ｃｈｒｏｍａｔｉｃ  Ｄｉｓｐｅｒｓｉｏｎ  Ｍｉｔｉｇａｔｉｏｎ”Ｗｅ１．３．１，ＥＣＯＣ２００５
【発明の開示】
【発明が解決しようとする課題】
【００１０】
しかしながら、上述の従来技術では、光受信装置の光分岐部と識別回路との間に設けられた各部品の初期ばらつきや経時変動によって、識別回路へ入力される各電気信号の遅延時間差が発生するという問題がある。各電気信号の遅延時間差が発生すると、識別回路において各電気信号の同期を取るための位相余裕が小さくなり、光信号の識別が困難となって受信特性が劣化するという問題がある。また、光信号が高速であるほど位相余裕が小さくなるため、各電気信号の遅延時間差による受信特性の劣化が顕著になる。
【００１１】
また、各電気信号の遅延時間差が大きくなると、識別回路において各電気信号の符号順序が入れ替わり、光信号の識別が不可能になる。これに対して、光信号の分岐部と識別回路との間に設けられた各部品のスキュー仕様を精密にすることで各電気信号の遅延時間差が発生を抑えることが考えられるが、この方法では装置のコストが増大する他、各部品の経時変動に起因する各電気信号の遅延時間差には対応できないという問題がある。
【００１２】
また、電気信号に可変の遅延量を与える可変位相シフタを各電気信号の一方の経路に設け、各電気信号の遅延時間差を補償することが考えられるが、可変位相シフタを設けると装置が大型化し、装置のコストが増大するという問題がある。また、可変位相シフタは、通常、与えられた電流値または電圧値に応じた遅延量を電気信号に与えるが、１元的な電流値または電圧値の制御によって各電気信号の遅延時間差を精度よく補償することは困難であるという問題がある。
【００１３】
この発明は、上述した従来技術による問題点を解消するため、各電気信号の遅延時間差を補償して受信特性を向上させることができる電気分散補償装置、光受信装置および光受信方法を提供することを目的とする。
【課題を解決するための手段】
【００１４】
上述した課題を解決し、目的を達成するため、この電気分散補償装置は、光信号を分岐して光電変換した各電気信号を分散補償する光受信装置において、複数のタップを有するフィルタによって前記各電気信号をそれぞれ分散補償する分散補償手段と、前記分散補償手段のタップ係数を調節することで前記各電気信号に対する分散補償量をそれぞれ制御する分散制御手段と、前記分散制御手段によって調節されたタップ係数を調節することで前記各電気信号の遅延時間差を制御する遅延制御手段と、を備えることを要件とする。
【００１５】
この光受信装置によれば、分散補償手段を構成するトランスバーサルフィルタのタップ係数を調節することで分散補償量を制御するとともに、トランスバーサルフィルタのタップ係数を微調節することで各電気信号の遅延時間差を制御することができる。
【発明の効果】
【００１６】
この電気分散補償装置、光受信装置および光受信方法によれば、各電気信号の遅延時間差を補償して受信特性を向上させることができるという効果を奏する。
【発明を実施するための最良の形態】
【００１７】
以下に添付図面を参照して、この電気分散補償装置、光受信装置および光受信方法の好適な実施の形態を詳細に説明する。
【００１８】
（実施の形態１）
図１は、実施の形態１にかかる光受信装置の機能的構成を示すブロック図である。実施の形態１にかかる光受信装置は、ＤＱＰＳＫ方式で送信された光信号を受信する。図１において、実線矢印はデータ信号の流れを示している。点線矢印は制御信号の流れを示している。実施の形態１にかかる光受信装置１００は、光分岐部１１０と、遅延干渉計１２０と、光電変換部１３１，１３２と、増幅器１４１，１４２と、電気分散補償器１５１，１５２と、識別回路１６０と、制御回路１７０と、記憶部１８０と、を備えている。
【００１９】
光分岐部１１０は、外部から入力された光信号を分岐して、分岐した各光信号を遅延干渉計１２０へ出力する。遅延干渉計１２０は、光分岐部１１０から出力された光信号のＩ相信号を抽出して光電変換部１３１へ出力する。また、遅延干渉計１２０は、光分岐部１１０から出力された光信号のＱ相信号を抽出して光電変換部１３２へ出力する。Ｉ送信号およびＱ送信号は、それぞれ２値の強度光信号である。
【００２０】
遅延干渉計１２０は、具体的には、光信号のＩ相およびＱ相に対応する１組のマッハツェンダ干渉計を備える。各マッハツェンダ干渉計は、伝送システムにおけるシンボル時間に相当する光遅延要素を備えている。各マッハツェンダ干渉計のアーム間の光位相差は、一方のマッハツェンダ干渉計ではπ／４に設定され、他方のマッハツェンダ干渉計では−π／４に設定される。マッハツェンダ干渉計の構成の詳細については、たとえば上記特許文献１，２を参照することができる。
【００２１】
光電変換部１３１は、遅延干渉計１２０から出力されたＩ相信号を電気強度信号に変換して増幅器１４１へ出力する。光電変換部１３２は、遅延干渉計１２０から出力されたＱ相信号を電気強度信号に変換して増幅器１４２へ出力する。以下の説明では、電気強度信号を単に電気信号という。光電変換部１３１および光電変換部１３２のそれぞれは、たとえばバランスドＰＤである。
【００２２】
増幅器１４１は、光電変換部１３１から出力された電気信号を増幅して電気分散補償器１５１へ出力する。増幅器１４２は、光電変換部１３２から出力された電気信号を増幅して電気分散補償器１５２へ出力する。電気分散補償器１５１（ＥＤＣ）は、増幅器１４１から出力された電気信号を分散補償して識別回路１６０へ出力する。電気分散補償器１５２は、増幅器１４２から出力された電気信号を分散補償して識別回路１６０へ出力する。
【００２３】
電気分散補償器１５１および電気分散補償器１５２のそれぞれは、複数のタップを有するトランスバーサルフィルタによって構成されている。電気分散補償器１５１および電気分散補償器１５２による各電気信号に対する分散補償量は、それぞれのトランスバーサルフィルタのタップ係数を調節することによって変化する。タップ係数とは、トランスバーサルフィルタの各タップを通過する電気信号の成分に対する重み付け係数である。
【００２４】
識別回路１６０は、電気分散補償器１５１および電気分散補償器１５２から出力された各電気信号に基づいて、光分岐部１１０へ入力された光信号のデータを識別する識別手段である。具体的には、識別回路１６０は、再生部１６１，１６２，１６３と、監視部１６４と、監視部１６５と、を備えている。再生部１６１，１６２，１６３のそれぞれは、電気信号のデータおよびクロック信号を再生するＣＤＲ（Ｃｌｏｃｋ  ａｎｄ  Ｄａｔａ  Ｒｅｃｏｖｅｒｙ）回路である。
【００２５】
再生部１６１および再生部１６２は、電気分散補償器１５１および電気分散補償器１５２から出力された各電気信号のデータをそれぞれ再生する第１再生手段である。再生部１６１は、電気分散補償器１５１から出力された電気信号のデータを再生して再生部１６３へ出力する。再生部１６２は、電気分散補償器１５２から出力された電気信号のデータを再生して再生部１６３へ出力する。
【００２６】
再生部１６１および再生部１６２から再生部１６３へ出力された各電気信号は、それぞれ２値のデータである。再生部１６３は、再生部１６１から出力された電気信号と、再生部１６２から出力された電気信号と、に基づいてデータを再生する第２再生手段である。具体的には、再生部１６３は、再生部１６１および再生部１６２から出力された各電気信号の同期を取り、各電気信号の組み合わせによって４値のデータを識別する。
【００２７】
再生部１６３は、４値のデータを示す電気信号を外部へ出力する。監視部１６４は、再生部１６１から再生部１６３へ出力された電気信号と、再生部１６２から再生部１６３へ出力された電気信号と、の少なくとも一方を分岐して取得し、取得した電気信号のＢＥＲ（エラー率：Ｂｉｔ  Ｅｒｒｏｒ  Ｒａｔｅ）を算出して制御回路１７０へ出力する。
【００２８】
監視部１６５は、再生部１６３から外部へ出力された電気信号を分岐して取得し、取得した電気信号のＢＥＲを算出して制御回路１７０へ出力する。監視部１６４および監視部１６５におけるＢＥＲの算出には、たとえば前方誤り訂正制御方式（ＦＥＣ：Ｆｏｒｗａｒｄ  Ｅｒｒｏｒ  Ｃｏｒｒｅｃｔｉｏｎ）などを用いることができる。
【００２９】
制御回路１７０は、タップ係数調節部１７１と、分散制御部１７２と、遅延制御部１７３と、を備えている。制御回路１７０は、たとえばＣＰＵ（Ｃｅｎｔｒａｌ  Ｐｒｏｃｅｓｓｉｎｇ  Ｕｎｉｔ）によって構成される。タップ係数調節部１７１は、分散制御部１７２または遅延制御部１７３による制御にしたがって、電気分散補償器１５１および電気分散補償器１５２のタップ係数をそれぞれ調節する。
【００３０】
分散制御部１７２は、電気分散補償器１５１および電気分散補償器１５２のタップ係数をそれぞれ調節することで、各電気信号に対する分散補償量を制御する分散制御手段である。分散制御部１７２は、タップ係数調節部１７１を介してタップ係数を調節する。たとえば、分散制御部１７２は、監視部１６４から出力されたＢＥＲに基づいて、電気分散補償器１５１および電気分散補償器１５２のタップ係数をそれぞれ調節する。
【００３１】
また、分散制御部１７２は、電気分散補償器１５１および電気分散補償器１５２のタップ係数を、トランスバーサルフィルタの特性などに基づいてあらかじめ定められた係数に調節してもよい。あらかじめ定められた係数は、固定の係数であってもよいし、所望の分散補償量毎に対応した係数であってもよい。
【００３２】
再生部１６１および再生部１６２から再生部１６３へ出力される各電気信号のＢＥＲに関する閾値を第１閾値とする。分散制御部１７２は、監視部１６４から出力されたＢＥＲが第１閾値以下になるようにタップ係数を調節する。また、分散制御部１７２は、監視部１６４から出力されたＢＥＲが最小になるようにタップ係数を調節してもよい。分散制御部１７２は、調節したタップ係数の情報を記憶部１８０に記憶させる。
【００３３】
特性が同じトランスバーサルフィルタによって電気分散補償器１５１および電気分散補償器１５２を構成する場合は、分散制御部１７２は、各トランスバーサルフィルタに対して同じタップ係数を設定する。特性が異なるトランスバーサルフィルタによって電気分散補償器１５１および電気分散補償器１５２を構成する場合は、分散制御部１７２は、各トランスバーサルフィルタのタップ係数を個別に調節する。
【００３４】
各トランスバーサルフィルタのタップ係数を個別に調節する場合は、分散制御部１７２は、再生部１６１から出力された電気信号のＢＥＲを監視部１６４から取得し、取得したＢＥＲに基づいて電気分散補償器１５１のタップ係数を調節する。また、分散制御部１７２は、再生部１６２から出力された電気信号のＢＥＲを監視部１６４から取得し、取得したＢＥＲに基づいて電気分散補償器１５２のタップ係数を調節する。
【００３５】
また、分散制御部１７２は、監視部１６４から出力されるＢＥＲが第１閾値以下になるタップ係数のリストを生成してもよい。分散制御部１７２は、監視部１６４から出力されたＢＥＲが第１閾値以下になり、かつ電気分散補償器１５１および電気分散補償器１５２のタップ係数が異なるように各タップ係数を調節し、調節したタップ係数の組み合わせをリストに追加する。分散制御部１７２は、生成したリストを記憶部１８０に記憶させる。
【００３６】
遅延制御部１７３は、分散制御部１７２によって調節された電気分散補償器１５１および電気分散補償器１５２のタップ係数の組み合わせを微調節することで、各電気信号の遅延時間差を制御する遅延制御手段である。具体的には、遅延制御部１７３は、記憶部１８０に記憶されたタップ係数の情報が示すタップ係数をさらに微調節して電気分散補償器１５１および電気分散補償器１５２に設定する。
【００３７】
遅延制御部１７３は、タップ係数調節部１７１を介してタップ係数を微調節する。遅延制御部１７３は、再生部１６３へ入力される各電気信号の遅延時間差を示す情報に基づいてタップ係数を微調節する。各電気信号の遅延時間差を示す情報は、たとえば、電気分散補償器１５１および電気分散補償器１５２から出力された各電気信号の遅延時間差や、再生部１６１および再生部１６２から出力された各電気信号の遅延時間差の情報である。
【００３８】
また、再生部１６３へ入力される各電気信号の遅延時間差は、再生部１６３によって再生された電気信号（データ）のＢＥＲに反映される。このため、各電気信号の遅延時間差を示す情報は、再生部１６３によって再生された電気信号のＢＥＲであってもよい。再生部１６３へ入力される各電気信号の遅延時間差に関する閾値を第２閾値とする。
【００３９】
遅延制御部１７３は、たとえば、再生部１６３によって再生された電気信号のＢＥＲを監視部１６５から取得して、取得したＢＥＲが第２閾値以下になるようにタップ係数を微調節する。このとき、遅延制御部１７３は、再生部１６１および再生部１６２から再生部１６３へ出力される各電気信号のＢＥＲが第１閾値を超えない範囲で、電気分散補償器１５１および電気分散補償器１５２のタップ係数の組み合わせを微調節する。
【００４０】
具体的には、遅延制御部１７３は、監視部１６５から取得したＢＥＲが第２閾値以下になるようにタップ係数を微調節する際に、監視部１６４から出力されるＢＥＲの情報を取得して（矢印不図示）、監視部１６４から取得したＢＥＲが第１閾値を超えないようにしてもよい。また、分散制御部１７２がタップ係数のリストを生成する場合は、遅延制御部１７３は、分散制御部１７２が生成したリストに含まれるタップ係数の中で、監視部１６５から取得したＢＥＲが第２閾値以下になるタップ係数を設定する。
【００４１】
図２は、電気分散補償器の構成例を示す回路図である。図２に示すように、電気分散補償器１５１は、分岐部２１１〜２１３と、遅延部２２１〜２２３と、乗算部２３１〜２３４と、加算部２４０と、を備えている。制御回路１７０は、乗算部２３１〜２３４に対してそれぞれ重み付け係数ｃ１〜ｃ４（タップ係数）を出力する。
【００４２】
分岐部２１１は、増幅器１４１から出力された電気信号を分岐して、分岐した電気信号をそれぞれ遅延部２２１および乗算部２３１へ出力する。遅延部２２１は、分岐部２１１から出力された電気信号を時間ｔ１だけ遅延させて分岐部２１２へ出力する。乗算部２３１は、分岐部２１１から出力された電気信号に、制御回路１７０から出力された重み付け係数ｃ１を乗算して加算部２４０へ出力する。
【００４３】
分岐部２１２は、遅延部２２１から出力された電気信号を分岐して、分岐した電気信号をそれぞれ遅延部２２２および乗算部２３２へ出力する。遅延部２２２は、分岐部２１２から出力された電気信号を時間ｔ２だけ遅延させて分岐部２１３へ出力する。乗算部２３２は、分岐部２１２から出力された電気信号に、制御回路１７０から出力された重み付け係数ｃ２を乗算して加算部２４０へ出力する。
【００４４】
分岐部２１３は、遅延部２２２から出力された電気信号を分岐して、分岐した電気信号をそれぞれ遅延部２２３および乗算部２３３へ出力する。遅延部２２３は、分岐部２１３から出力された電気信号を時間ｔ３だけ遅延させて乗算部２３４へ出力する。乗算部２３３は、分岐部２１３から出力された電気信号に、制御回路１７０から出力された重み付け係数ｃ３を乗算して加算部２４０へ出力する。
【００４５】
乗算部２３４は、遅延部２２３から出力された電気信号に、制御回路１７０から出力された重み付け係数ｃ４を乗算して加算部２４０へ出力する。加算部２４０は、乗算部２３１〜２３４から出力された各電気信号を加算して識別回路１６０へ出力する。このように、分岐部２１１〜２１３および加算部２４０によって、並列に接続された４つのタップが形成されている。電気分散補償器１５２の構成は電気分散補償器１５１と同様である。
【００４６】
この電気分散補償器１５１の構成により、それぞれ遅延量が異なる電気信号の各成分が乗算部２３１〜２３４へ出力され、それぞれ重み付け係数ｃ１〜ｃ４に基づいて重み付けされ、加算部２４０によって加算される。これにより、電気分散補償器１５１へ入力された各電気信号の各遅延成分が補償され、電気信号が分散補償される。
【００４７】
また、重み付け係数ｃ１〜ｃ４を変化させることで、電気分散補償器１５１を通過する電気信号の遅延量を変化させることができる。たとえば、遅延量が大きい電気信号の成分に対する重み付け係数ｃ３，ｃ４を、遅延量が小さい電気信号の成分に対する重み付け係数ｃ１，ｃ２に対して大きく設定することで、遅延量が大きい電気信号の成分が強調されて出力され、電気分散補償器１５１を通過した電気信号の遅延量が大きくなる。
【００４８】
反対に、遅延量が小さい電気信号の成分に対する重み付け係数ｃ１，ｃ２を、遅延量が大きい電気信号の成分に対する重み付け係数ｃ３，ｃ４に対して大きく設定することで、遅延量が小さい電気信号の成分が強調されて出力され、電気分散補償器１５１を通過した電気信号の遅延量が小さくなる。各タップのうちの、並び方向の端の方に設けられたタップの重み付け係数は、電気信号の遅延量に対する影響が大きい。
【００４９】
特に、各タップのうちの並び方向の両端のタップの係数（ｃ１およびｃ４）を変化させることで、電気分散補償器１５１を通過した電気信号の遅延量を大きく変化させることができる。たとえば、両端のタップの係数（ｃ１およびｃ４）のみを変化させることで、タップ係数の調節を単純にしつつ、電気信号の遅延量を大きく変化させることができるため、遅延制御部１７３による各電気信号の遅延時間差の補償を効率的に行うことができる。
【００５０】
図３は、記憶部に記憶されるリストの一例を示す図である。図３に示すように、分散制御部１７２が生成して記憶部１８０に記憶されるリスト３００には、電気分散補償器１５１および電気分散補償器１５２のタップ係数の組み合わせが複数含まれている。各組み合わせ３０１，３０２，…は、監視部１６４から出力されるＢＥＲが第１閾値以下になるタップ係数の組み合わせである。また、各組み合わせ３０１，３０２，…は、電気分散補償器１５１のタップ係数と電気分散補償器１５２のタップ係数との関係がそれぞれ異なる。
【００５１】
このため、組み合わせ３０１，３０２，…のいずれかを選択して電気分散補償器１５１および電気分散補償器１５２のタップ係数を調節することで、電気分散補償器１５１および電気分散補償器１５２を通過した各電気信号に対して異なる遅延量を与えることができる。また、組み合わせ３０１，３０２，…の中から選択する組み合わせを変更することで、各電気信号の相対的な遅延量を制御することができる。
【００５２】
図４は、制御回路の動作の一例を示すフローチャートである。図４においては、分散制御部１７２がタップ係数のリスト３００を生成しない場合の動作について説明する。まず、分散制御部１７２が、監視部１６４から出力されたＢＥＲを取得する（ステップＳ４０１）。つぎに、分散制御部１７２が、ステップＳ４０１によって取得したＢＥＲが第１閾値以下か否かを判断する（ステップＳ４０２）。
【００５３】
ステップＳ４０２において、ＢＥＲが第１閾値以下でない場合（ステップＳ４０２：Ｎｏ）は、電気分散補償器１５１および電気分散補償器１５２のタップ係数をそれぞれ調節し（ステップＳ４０３）、ステップＳ４０１に戻って処理を続行する。ステップＳ４０２において、ＢＥＲが第１閾値以下である場合（ステップＳ４０２：Ｙｅｓ）は、遅延制御部１７３が、監視部１６５から出力されたＢＥＲを取得する（ステップＳ４０４）。
【００５４】
つぎに、遅延制御部１７３が、ステップＳ４０４によって取得したＢＥＲが第２閾値以下か否かを判断する（ステップＳ４０５）。ＢＥＲが第２閾値以下でない場合（ステップＳ４０５：Ｎｏ）は、電気分散補償器１５１および電気分散補償器１５２のタップ係数の組み合わせを微調節し（ステップＳ４０６）、ステップＳ４０４に戻り処理を続行する。
【００５５】
ステップＳ４０５において、ＢＥＲが第２閾値以下である場合（ステップＳ４０５：Ｙｅｓ）は、制御回路１７０の一連の動作を終了する。以上のステップは、たとえば、光受信装置１００の運用前に、トレーニングデータなどを用いて行う。また、以上のステップは、光受信装置１００の運用中に定期的に行ってもよい。
【００５６】
また、ステップＳ４０１〜ステップＳ４０３は、各電気信号の分散補償量の制御であり、ステップＳ４０４〜ステップＳ４０６は、各電気信号の遅延時間差の制御である。分散補償量を固定にして、運用中の経時変動などに応じて各電気信号の遅延時間差を制御する場合は、光受信装置１００の運用前にステップＳ４０１〜ステップＳ４０３を行い、光受信装置１００の運用中にステップＳ４０４〜ステップＳ４０６を定期的に行ってもよい。
【００５７】
また、ここでは、ステップＳ４０４によって監視部１６５から出力されたＢＥＲを取得し、ステップＳ４０５によってＢＥＲと第２閾値の比較を行ったが、ステップＳ４０４によって各電気信号の遅延量の情報を取得し、ステップＳ４０５によって各電気信号の遅延量の情報と第２閾値の比較を行ってもよい。
【００５８】
図５は、制御回路の動作の他の例を示すフローチャートである。図５においては、分散制御部１７２がタップ係数のリスト３００を生成する場合の動作について説明する。まず、分散制御部１７２が、監視部１６４から出力されたＢＥＲを取得する（ステップＳ５０１）。つぎに、分散制御部１７２が、ステップＳ５０１によって取得したＢＥＲが第１閾値以下か否かを判断する（ステップＳ５０２）。
【００５９】
ステップＳ５０２において、ＢＥＲが第１閾値以下でない場合（ステップＳ５０２：Ｎｏ）は、電気分散補償器１５１および電気分散補償器１５２のタップ係数をそれぞれ調節し（ステップＳ５０３）、ステップＳ５０１に戻って処理を続行する。ステップＳ５０２において、ＢＥＲが第１閾値以下である場合（ステップＳ５０２：Ｙｅｓ）は、分散制御部１７２が、このときの電気分散補償器１５１および電気分散補償器１５２のタップ係数をリスト３００に追加する（ステップＳ５０４）。
【００６０】
つぎに、ステップＳ５０４によってリスト３００に追加したタップ係数が所定数以上になったか否かを判断する（ステップＳ５０５）。追加したタップ係数が所定数以上でない場合（ステップＳ５０５：Ｎｏ）は、ステップＳ５０１に戻って処理を続行する。追加したタップ係数が所定数以上である場合（ステップＳ５０５：Ｙｅｓ）は、遅延制御部１７３が、監視部１６５から出力されたＢＥＲを取得する（ステップＳ５０６）。
【００６１】
つぎに、遅延制御部１７３が、ステップＳ５０６によって取得したＢＥＲが第２閾値以下か否かを判断する（ステップＳ５０７）。ＢＥＲが第２閾値以下でない場合（ステップＳ５０７：Ｎｏ）は、ステップＳ５０４によってリスト３００に追加したタップ係数に基づいて電気分散補償器１５１および電気分散補償器１５２のタップ係数の組み合わせを微調節し（ステップＳ５０８）、ステップＳ５０６に戻って処理を続行する。
【００６２】
ステップＳ５０７において、ＢＥＲが第２閾値以下である場合（ステップＳ５０７：Ｙｅｓ）は、制御回路１７０の一連の動作を終了する。以上のステップは、たとえば、光受信装置１００の運用前に、トレーニングデータなどを用いて行う。また、以上のステップは、光受信装置１００の運用中に定期的に行ってもよい。
【００６３】
また、ステップＳ５０１〜ステップＳ５０５は、各電気信号の分散補償量の制御であり、ステップＳ５０６〜ステップＳ５０８は、各電気信号の遅延時間差の制御である。分散補償量を固定にして、運用中の経時変動などに応じて各電気信号の遅延時間差を制御する場合は、光受信装置１００の運用前にステップＳ５０１〜ステップＳ５０５を行い、光受信装置１００の運用中にステップＳ５０６〜ステップＳ５０８を定期的に行ってもよい。
【００６４】
また、ここでは、ステップＳ５０６によって監視部１６５から出力されたＢＥＲを取得し、ステップＳ５０７によってＢＥＲと第２閾値の比較を行ったが、ステップＳ５０６によって各電気信号の遅延量の情報を取得し、ステップＳ５０７によって各電気信号の遅延量の情報と第２閾値の比較を行ってもよい。
【００６５】
図６は、電気分散補償器におけるＱ値劣化量と遅延量の特性を示すグラフである。図６において、横軸は、電気分散補償器１５１のタップ係数ｃ１（図２参照）を示している。劣化特性６１１，６１２，６１３は、それぞれ電気分散補償器１５１のタップ係数ｃ４が−０．２５，−０．３，−０．３５のときに再生部１６１によって再生される電気信号のＱ値劣化量を、最適な状態からのＱ値劣化量［ｄＢ］で示している。
【００６６】
遅延特性６２１，６２２，６２３は、それぞれ電気分散補償器１５１のタップ係数ｃ４が−０．２５，−０．３，−０．３５のときに、電気分散補償器１５１を通過した電気信号に与えられる遅延量を、最適な状態からの遅延時間差［ｐｓ］で示している。電気分散補償器１５１のタップ係数ｃ２，ｃ３はそれぞれ１．１に固定されている。
【００６７】
閾値６３１は、再生部１６１によって再生される電気信号のＱ値劣化量が０．１ｄＢとなる閾値であり、上述の第１閾値に対応する閾値である。劣化特性６１１，６１２，６１３に示すように、電気分散補償器１５１のタップ係数ｃ４を−０．２５〜−０．３５に変化させる場合に、Ｑ値劣化量が閾値６３１以下になるｃ１の範囲は範囲６３２（およそ−０．４２〜−０．１７）である。
【００６８】
範囲６３２内でｃ１を変化させる場合に、電気分散補償器１５１を通過する電気信号の遅遅量は範囲６３３（およそ−１．５ｐｓ〜４．２ｐｓ）内で変化する。たとえば、符号６４１に示すように、ｃ１＝−０．４２であり、ｃ４＝−０．２５である場合は、電気分散補償器１５１を通過する電気信号の遅遅量はおよそ４．２ｐｓになる。また、符号６４２に示すように、ｃ１＝−０．１７であり、ｃ４＝−０．３５である場合は、電気分散補償器１５１を通過する電気信号の遅遅量はおよそ−０．１５ｐｓになる。
【００６９】
したがって、再生部１６１によって再生される電気信号のＱ値劣化量が０．１ｄＢ以下（閾値６３１）になる範囲内（範囲６３２）で、電気分散補償器１５１を通過する電気信号の遅遅量をおよそ６ｐｓの幅（範囲６３３）で変化させることができる。電気分散補償器１５２についても同様に、再生部１６２によって再生される電気信号のＱ値劣化量が０．１ｄＢ以下になる範囲内で、電気分散補償器１５２を通過する電気信号の遅遅量をおよそ６ｐｓの幅で変化させることができる。
【００７０】
これにより、電気分散補償器１５１および電気分散補償器１５２によって分散補償された各電気信号のＱ値劣化量をともに０．１ｄＢ以下に抑えつつ、電気分散補償器１５１および電気分散補償器１５２のタップ係数の組み合わせを微調節することで各電気信号の遅延量をそれぞれ変化させ、各電気信号の遅延時間差を制御することができる。
【００７１】
このように、実施の形態１にかかる光受信装置１００によれば、電気分散補償器１５１および電気分散補償器１５２のタップ係数を調節することで分散補償量を制御するとともに、これらのタップ係数をさらに微調節することで各電気信号の遅延時間差を補償することができる。これにより、再生部１６３において各電気信号の同期を取るための位相余裕が大きくなり、受信特性を向上させることができる。
【００７２】
また、各電気信号の遅延時間差を補償できるため、遅延干渉計１２０、光電変換部１３１，１３２、増幅器１４１，１４２、電気分散補償器１５１，１５２および識別回路１６０などの各部品や、これらの各部品を接続する光導波路や導線のスキュー仕様を緩和することができ、装置の低コスト化を図ることができる。
【００７３】
また、可変位相シフタなどを設けることなく、既存の構成により各電気信号の遅延時間差を制御するため、装置の部品数や製造工程を減らして、装置の小型化および低コスト化を図ることができる。また、トランスバーサルフィルタのタップ係数の組み合わせによって各電気信号の遅延量を制御するため、各電気信号の遅延量を細かく変化させることができる。このため、各電気信号の遅延時間差を精度よく補償することができる。
【００７４】
（実施の形態２）
図７は、実施の形態２にかかる光受信装置の機能的構成を示すブロック図である。図７において、図１に示した構成と同様の構成については同一の符号を付して説明を省略する。図７に示すように、実施の形態２にかかる光受信装置１００は、図１に示した光受信装置１００の監視部１６５に代えて検出部７１０を備えている。検出部７１０は、識別回路１６０とは別の回路によって構成されている。
【００７５】
検出部７１０は、電気分散補償器１５１および電気分散補償器１５２から識別回路１６０へ出力される各電気信号を分岐して取得する。検出部７１０は、取得した各電気信号を比較して、各電気信号の遅延時間差を検出する検出手段である。検出部７１０は、たとえば、位相比較を行う加算回路によって構成される。この場合は、検出部７１０は、取得した各電気信号を位相比較して、各電気信号の位相差に応じた電気信号を、各電気信号の遅延時間差を示す情報として制御回路１７０へ出力する。
【００７６】
制御回路１７０の遅延制御部１７３は、検出部７１０から出力された電気信号に基づいてタップ係数を微調節する。たとえば、遅延制御部１７３は、検出部７１０から出力された電気信号が第２閾値以下になるように、電気分散補償器１５１および電気分散補償器１５２のタップ係数の組み合わせを微調節する。この場合は、第２閾値は電流値である。
【００７７】
または、検出部７１０は、再生部１６１および再生部１６２から再生部１６２へ出力される各電気信号を分岐して取得してもよい（矢印不図示）。この場合は、検出部７１０は、取得した各電気信号の遅延時間差を位相比較して、各電気信号の位相差に応じた電気信号を、各電気信号の遅延時間差を示す情報として制御回路１７０へ出力する。
【００７８】
このように、実施の形態２にかかる光受信装置１００によれば、実施の形態１にかかる光受信装置１００の効果を奏するとともに、各電気信号の遅延時間差を検出する検出部７１０を識別回路１６０の外部に設けることで、識別回路１６０の小規模化および単純化を図ることができる。これにより、識別回路１６０による信号の識別動作を安定させ、受信特性を向上させることができる。
【００７９】
（実施の形態３）
図８は、実施の形態３にかかる光受信装置の機能的構成を示すブロック図である。図７において、図７に示した構成と同様の構成については同一の符号を付して説明を省略する。図８に示すように、実施の形態２にかかる光受信装置１００は、図７に示した光受信装置１００の再生部１６１，１６２に代えて、再生部８１１，８１２を備えている。
【００８０】
再生部８１１および再生部８１２は、識別回路１６０とは別の回路によって構成されている。再生部８１１および再生部８１２は、電気信号のデータおよびクロック信号を再生するＣＤＲ回路である。再生部８１１は、電気分散補償器１５１から出力された電気信号のデータを再生して識別回路１６０へ出力する。また、再生部８１１は、電気分散補償器１５１から出力された電気信号のクロック信号を再生して検出部７１０へ出力する。
【００８１】
再生部８１２は、電気分散補償器１５２から出力された電気信号のデータを再生して識別回路１６０へ出力する。また、再生部８１２は、電気分散補償器１５２から出力された電気信号のクロック信号を再生して検出部７１０へ出力する。識別回路１６０の再生部１６３は、再生部８１１から出力された電気信号と、再生部８１２から出力された電気信号と、に基づいてデータを再生する。
【００８２】
検出部７１０は、再生部８１１から出力されたクロック信号と、再生部８１２から出力されたクロック信号と、を取得する。検出部７１０は、取得した各クロック信号を位相比較して、各クロック信号の位相差に応じた電気信号を、各電気信号の遅延時間差を示す情報として制御回路１７０へ出力する。
【００８３】
このように、実施の形態３にかかる光受信装置１００によれば、実施の形態２にかかる光受信装置１００の効果を奏するとともに、電気分散補償器１５１および電気分散補償器１５２から出力された各電気信号を再生する再生部８１１および再生部８１２を識別回路１６０の外部に設けることで、識別回路１６０のさらなる小規模化および高速化を図ることができる。これにより、識別回路１６０による信号の識別動作を安定させ、受信特性を向上させることができる。
【００８４】
また、クロック信号同士の位相比較は、データ信号同士の位相比較（図７参照）と比べて精度が高い。このため、検出部７１０における制御回路１７０の遅延制御部１７３は、各電気信号の遅延時間差を精度よく示す情報を取得することができる。これにより、遅延制御部１７３による各電気信号の遅延時間差の制御の精度を向上させ、再生部１６３における受信特性をさらに向上させることができる。
【００８５】
（実施の形態４）
図９は、実施の形態４にかかる光受信装置の機能的構成を示すブロック図である。図９において、図１に示した構成と同様の構成については同一の符号を付して説明を省略する。図９に示すように、実施の形態４にかかる光受信装置１００は、図１に示した光受信装置１００の監視部１６４および監視部１６５に代えて、分岐部９０１，９０２，９０３および監視回路９００を備えている。
【００８６】
分岐部９０１は、電気分散補償器１５１から識別回路１６０へ出力される電気信号を分岐して監視回路９００へ出力する。分岐部９０２は、電気分散補償器１５２から識別回路１６０へ出力される電気信号を分岐して監視回路９００へ出力する。分岐部９０３は、識別回路１６０から外部へ出力される電気信号を分岐して監視回路９００へ出力する。
【００８７】
監視回路９００は、識別回路１６０とは別に設けられ、たとえばＣＰＵによって構成される。監視回路９００は、再生部９１１，９１２と、監視部９２０と、監視部９３０と、を備えている。再生部９１１は、分岐部９０１から出力された電気信号のデータを再生して監視部９２０へ出力する。再生部９１２は、分岐部９０２から出力された電気信号のデータを再生して監視部９２０へ出力する。
【００８８】
監視部９２０は、再生部９１１から出力された電気信号と、再生部９１２から出力された電気信号と、の少なくとも一方のＢＥＲを算出して制御回路１７０へ出力する。監視部９３０は、分岐部９０３から出力された電気信号のＢＥＲを算出して制御回路１７０へ出力する。制御回路１７０の分散制御部１７２は、監視回路９００の監視部９２０から出力されたＢＥＲに基づいてタップ係数を調節する。遅延制御部１７３は、監視回路９００の監視部９３０から出力されたＢＥＲに基づいてタップ係数を調節する。
【００８９】
また、分岐部９０１，９０２，９０３をそれぞれ経路切替スイッチ９０１，９０２，９０３に置き換えてもよい。光受信装置１００の運用前において、経路切替スイッチ９０１および経路切替スイッチ９０２は、電気分散補償器１５１および電気分散補償器１５２から出力された各トレーニングデータを監視回路９００へ出力し、経路切替スイッチ９０３は、再生回路１６３から出力されたトレーニングデータを監視回路９００へ出力する。
【００９０】
また、光受信装置１００の運用時において、経路切替スイッチ９０１および経路切替スイッチ９０２は、電気分散補償器１５１および電気分散補償器１５２から出力された各電気信号を識別回路１６０へ出力し、経路切替スイッチ９０３は、再生部１６３から出力された電気信号を外部へ出力する。これにより、制御回路１７０による制御のために電気信号を分岐することなく、制御回路１７０による分散制御および遅延制御を行うことができ、電気信号のパワー損失を抑えることができる。
【００９１】
このように、実施の形態４にかかる光受信装置１００によれば、実施の形態１にかかる光受信装置１００の効果を奏するとともに、電気分散補償器１５１および電気分散補償器１５２から出力された各電気信号と、再生部１６３によって再生された電気信号とのＢＥＲを算出する監視回路９００を識別回路１６０の外部に設けることで、識別回路１６０の小規模化および高速化を図ることができる。これにより、識別回路１６０による信号の識別動作を安定させ、受信特性を向上させることができる。
【００９２】
（実施の形態５）
図１０は、実施の形態５にかかる光受信装置の機能的構成を示すブロック図である。図１０において、図１に示した構成と同様の構成については同一の符号を付して説明を省略する。図１０に示すように、実施の形態５にかかる光受信装置１００は、図１に示した光受信装置１００の構成に加えて条件取得部１０１０を備えている。条件取得部１０１０は、所定の条件のうちの該当する条件の情報を取得して制御回路１７０へ出力する。
【００９３】
所定の条件とは、各電気信号の遅延時間差が変動する要因となる条件である。たとえば、所定の条件は、光受信装置１００の内部の温度、電源変動または稼働時間などである。ここでは、所定の条件が光受信装置１００の内部の温度であり、条件取得部１０１０は、光受信装置１００の内部に設けられた感熱素子であるとする。
【００９４】
遅延制御部１７３は、電気分散補償器１５１および電気分散補償器１５２のタップ係数をそれぞれ微調節するごとに、設定したタップ係数と、条件取得部１０１０から出力された温度の情報と、を対応付けたテーブルを生成する。遅延制御部１７３は、生成したテーブルを記憶部１８０に記憶させる。このテーブルの生成は、光受信装置１００の運用前に、トレーニングデータなどを用いて行うとよい。
【００９５】
また、遅延制御部１７３は、光受信装置１００の運用時に、記憶部１８０に記憶されたテーブルにおいて、条件取得部１０１０から出力された温度の情報に対応付けられたタップ係数の情報を取得し、取得した情報に基づいて電気分散補償器１５１および電気分散補償器１５２のタップ係数の組み合わせを微調節する。このときは、監視部１６４および監視部１６５の動作を停止して、条件取得部１０１０から出力された温度の情報のみに基づいてタップ係数を微調節することができる。
【００９６】
図１１は、記憶部に記憶されるテーブルの一例を示す図である。図１１に示すように、遅延制御部１７３が生成し、記憶部１８０に記憶されるテーブル１１００には、所定の条件ごとに対応付けられた、電気分散補償器１５１および電気分散補償器１５２のタップ係数の組み合わせが複数含まれている。各組み合わせ１１０１，１１０２，…は、条件取得部１０１０から出力された情報が示す温度が６０℃，８０℃，…である場合のタップ係数の組み合わせである。
【００９７】
また、各組み合わせ１１０１，１１０２，…は、電気分散補償器１５１のタップ係数と電気分散補償器１５２のタップ係数との関係がそれぞれ異なる。このため、組み合わせ１１０１，１１０２，…のいずれかを選択して電気分散補償器１５１および電気分散補償器１５２のタップ係数の組み合わせを設定することで、電気分散補償器１５１および電気分散補償器１５２を通過した各電気信号に対して異なる遅延量を与えることができる。
【００９８】
また、組み合わせ１１０１，１１０２，…の中から選択する組み合わせを変更することで、各電気信号の相対的な遅延量を制御することができる。また、組み合わせ１１０１，１１０２，…の中から、条件取得部１０１０から出力された情報に対応付けられたものを選択して電気分散補償器１５１および電気分散補償器１５２のタップ係数の組み合わせを設定することで、光受信装置１００の運用中に監視部１６５を動作させなくても各電気信号の遅延時間差を制御することができる。
【００９９】
このように、実施の形態５にかかる光受信装置１００によれば、実施の形態１にかかる光受信装置１００の効果を奏するとともに、タップ係数の組み合わせが所定の条件ごとに対応付けられたテーブルを記憶部１８０に記憶しておくことにより、監視部１６５を動作させなくても各電気信号の遅延時間差を制御することができる。これにより、識別回路１６０による信号の識別動作を安定させ、受信特性を向上させることができる。
【０１００】
以上説明したように、各実施の形態にかかる光受信装置１００によれば、電気分散補償器１５１および電気分散補償器１５２のタップ係数を調節することで分散補償量を制御するとともに、電気分散補償器１５１および電気分散補償器１５２のタップ係数を微調節することで、各電気信号の遅延時間差を補償して受信特性を向上させることができる。
【０１０１】
なお、上述した各実施の形態においては、光受信装置１００がＤＱＰＳＫ方式で送信された光信号を受信する受信装置であるとして説明したが、光受信装置１００が対応する変調方式はＤＱＰＳＫ方式に限らない。本発明にかかる光受信装置は、光信号を分岐して光電変換した各電気信号を分散補償し、分散補償した各電気信号に基づいて光信号のデータを識別する光受信装置全般に適用することができる。
【０１０２】
また、上述した各実施の形態においては、第１閾値および第２閾値に対するＢＥＲの比較を行う場合について説明したが、通常、ＢＥＲが低いほどＢＥＲの変動量が小さくなるため、第１閾値および第２閾値に対するＢＥＲの変動量の比較を行ってもよい。
【０１０３】
また、上述した各実施の形態においては、電気分散補償器１５１および電気分散補償器１５２のそれぞれがトランスバーサルフィルタによって構成されている場合について説明したが、電気分散補償器１５１および電気分散補償器１５２はトランスバーサルフィルタに限らず、トランスバーサルフィルタと同等の処理が可能なフィルタであればよい。上述した実施の形態に関し、さらに以下の付記を開示する。
【０１０４】
（付記１）光信号を分岐して光電変換した各電気信号を分散補償する電気分散補償装置において、
複数のタップを有するフィルタによって前記各電気信号をそれぞれ分散補償する分散補償手段と、
前記分散補償手段のタップ係数を調節することで前記各電気信号に対する分散補償量をそれぞれ制御する分散制御手段と、
前記分散制御手段によって調節されたタップ係数を調節することで前記各電気信号の遅延時間差を制御する遅延制御手段と、
を備えることを特徴とする電気分散補償装置。
【０１０５】
（付記２）前記分散制御手段は、前記タップ係数を、前記フィルタの特性に基づいてあらかじめ定められた係数に調節することを特徴とする付記１に記載の電気分散補償装置。
【０１０６】
（付記３）前記遅延制御手段は、前記タップ係数として、前記複数のタップのうちの両端のタップの係数を調節することを特徴とする付記１に記載の電気分散補償装置。
【０１０７】
（付記４）付記１〜３のいずれか一つに記載の電気分散補償装置と、
前記分散補償手段によって分散補償された各電気信号に基づいて前記光信号のデータを識別する識別手段と、
を備えることを特徴とする光受信装置。
【０１０８】
（付記５）前記識別手段は、前記分散補償手段によって分散補償された各電気信号のデータをそれぞれ再生する第１再生手段と、前記第１再生手段によって再生された各電気信号に基づいて前記光信号のデータを再生する第２再生手段と、を備え、
前記分散制御手段は、前記第１再生手段によって再生された各電気信号のエラー率に基づいて前記タップ係数を調節し、
前記遅延制御手段は、前記各電気信号の遅延時間差を示す情報に基づいて前記タップ係数を調節することを特徴とする付記４に記載の光受信装置。
【０１０９】
（付記６）前記分散制御手段は、前記各電気信号のエラー率が第１閾値以下になるように前記タップ係数を調節し、
前記遅延制御手段は、前記各電気信号のエラー率が前記第１閾値以下となる範囲内で、前記遅延時間差を示す情報が第２閾値以下になるように前記タップ係数を調節することを特徴とする付記５に記載の光受信装置。
【０１１０】
（付記７）前記各電気信号のエラー率が第１閾値以下になる前記タップ係数のリストを記憶した記憶手段を備え、
前記遅延制御手段は、前記記憶手段に記憶された前記リストに基づいて、前記遅延時間差を示す情報が第２閾値以下になるように前記タップ係数を設定することを特徴とする付記５に記載の光受信装置。
【０１１１】
（付記８）前記分散制御手段は、前記各電気信号のエラー率が第１閾値以下になる前記タップ係数のリストを生成し、生成したリストを前記記憶手段に記憶させることを特徴とする付記５に記載の光受信装置。
【０１１２】
（付記９）前記遅延制御手段は、前記遅延時間差を示す情報として、前記第２再生手段によって再生された前記データのエラー率に基づいて前記タップ係数を調節することを特徴とする付記５に記載の光受信装置。
【０１１３】
（付記１０）前記分散補償手段によって分散補償された各電気信号の遅延時間差を検出する検出手段を備え、
前記遅延制御手段は、前記遅延時間差を示す情報として、前記検出手段によって検出された遅延時間差に基づいて前記タップ係数を調節することを特徴とする付記５に記載の光受信装置。
【０１１４】
（付記１１）前記分散補償手段によって分散補償された各電気信号のクロック信号をそれぞれ再生するクロック再生手段と、
前記クロック再生手段によって再生された各クロック信号の遅延時間差を検出する検出手段と、を備え、
前記遅延制御手段は、前記遅延時間差を示す情報として、前記検出手段によって検出された遅延時間差に基づいて前記タップ係数を調節することを特徴とする付記５に記載の光受信装置。
【０１１５】
（付記１２）前記タップ係数が所定の条件ごとに対応付けられたテーブルを記憶した記憶手段と、
前記所定の条件を取得する取得手段と、を備え、
前記遅延制御手段は、前記記憶手段に記憶されたテーブルにおいて、前記取得手段によって取得された条件に対応付けられたタップ係数によって前記タップ係数を設定することを特徴とする付記５に記載の光受信装置。
【０１１６】
（付記１３）前記分散補償手段は、前記フィルタとして、前記各電気信号の一方の電気信号を分散補償する第１フィルタと、前記各電気信号の他方の電気信号を分散補償する第２フィルタと、を備え、
前記分散制御手段は、前記第１フィルタおよび第２フィルタのタップ係数をそれぞれ調節し、
前記遅延制御手段は、前記第１フィルタのタップ係数と第２フィルタのタップ係数との組み合わせを調節することを特徴とする付記５に記載の光受信装置。
【０１１７】
（付記１４）前記分散制御手段は、前記第１フィルタによって分散補償された電気信号のエラー率に基づいて前記第１フィルタの前記タップ係数を調節し、前記第２フィルタによって分散補償された電気信号のエラー率に基づいて前記第２フィルタの前記タップ係数を調節することを特徴とする付記１３に記載の光受信装置。
【０１１８】
（付記１５）光信号を分岐して光電変換した各電気信号を分散補償する光受信方法において、
複数のタップを有するフィルタによって前記各電気信号をそれぞれ分散補償する分散補償工程と、
前記分散補償工程のタップ係数を調節することで前記各電気信号に対する分散補償量をそれぞれ制御する分散制御工程と、
前記分散制御工程によって調節されたタップ係数を調節することで前記各電気信号の遅延時間差を制御する遅延制御工程と、
前記分散補償工程によって分散補償された各電気信号に基づいて前記光信号のデータを識別する識別工程と、
を含むことを特徴とする光受信方法。
【産業上の利用可能性】
【０１１９】
以上のように、電気分散補償装置、光受信装置および光受信方法は、光信号を分岐して受信する電気分散補償装置、光受信装置および光受信方法に有用であり、特に、高速な光信号を受信する場合に適している。
【図面の簡単な説明】
【０１２０】
【図１】実施の形態１にかかる光受信装置の機能的構成を示すブロック図である。
【図２】電気分散補償器の構成例を示す回路図である。
【図３】記憶部に記憶されるリストの一例を示す図である。
【図４】制御回路の動作の一例を示すフローチャートである。
【図５】制御回路の動作の他の例を示すフローチャートである。
【図６】電気分散補償器におけるＱ値劣化量と遅延量の特性を示すグラフである。
【図７】実施の形態２にかかる光受信装置の機能的構成を示すブロック図である。
【図８】実施の形態３にかかる光受信装置の機能的構成を示すブロック図である。
【図９】実施の形態４にかかる光受信装置の機能的構成を示すブロック図である。
【図１０】実施の形態５にかかる光受信装置の機能的構成を示すブロック図である。
【図１１】記憶部に記憶されるテーブルの一例を示す図である。
【符号の説明】
【０１２１】
１００  光受信装置
１１０  光分岐部
１３１，１３２  光電変換部
１４１，１４２  増幅器
１５１，１５２  電気分散補償器
１６１〜１６３，９１１，９１２  再生部
２２１〜２２３  遅延部
２３１〜２３４  乗算部
２４０  加算部
３００  リスト
６１１〜６１３  劣化特性
６２１〜６２３  遅延特性
１１００  テーブル
【図１】
0005061855.tif 000002
【図２】
0005061855.tif 000003
【図３】
0005061855.tif 000004
【図４】
0005061855.tif 000005
【図５】
0005061855.tif 000006
【図６】
0005061855.tif 000007
【図７】
0005061855.tif 000008
【図８】
0005061855.tif 000009
【図９】
0005061855.tif 000010
【図１０】
0005061855.tif 000011
【図１１】
0005061855.tif 000012